(57)【要約】本発明は、複数のサブネットワークを備えるネットワークに関する。このサブネットワークは、ブリッジ端末を介してそれぞれ接続することができ、１つのサブネットワークを制御するためのコントローラをそれぞれ備える。このコントローラは、可能性のあるブリッジ端末を介して２つのサブネットワーク間のコネクションを設定するために設けられる。コネクションが設定される順序は、２つのサブネットワーク間の可能性のあるブリッジ端末の最小の数によりはじめに決定され、次いでコネクション品質により決定される。
2004513563.tif 000002
【特許請求の範囲】
【請求項１】
ブリッジ端末を介してそれぞれ接続されて、１つのサブネットワークを制御するためのコントローラをそれぞれ備える複数のサブネットワークを備えるネットワークであって、
前記コントローラは、可能性のあるブリッジ端末を介して２つのサブネットワーク間のコネクションを設定するために設けられ、前記コネクションが設定される順序は、２つのサブネットワーク間の可能性のあるブリッジ端末の最少の数に依存し、次いでコネクション品質に依存する、
ネットワーク。
【請求項２】
前記コントローラは、
ｎをそれぞれ既知のコントローラの数とし、ｔを可能性のあるブリッジ端末の数として、マトリクスＦ（１．．．ｎ，１．．．ｎ，１．．．ｔ）における全ての可能性のあるブリッジ端末を記憶し、
前記コネクションの品質に依存して前記マトリクスの要素をソートし、
最小の数ｔを有する可能性のあるブリッジ端末についてサーチを繰返し、選択後に、前記マトリクスの要素を消去するために配置される、
ことを特徴とする請求項１記載のネットワーク。
【発明の詳細な説明】
【０００１】
［発明の分野］
本発明は、ブリッジ端末を介してそれぞれ接続することができ、１つのサブネットワークを制御するためのコントローラをそれぞれ備える複数のサブネットワークを備えるネットワークに関する。
かかるネットワークは、自己組織化によるものであり、たとえば、複数のサブネットワークを備える場合がある。これらのサブネットワークは、アドホックネットワークとしても言及される。
【０００２】
［発明の分野］
論文“Ｊ． Ｈａｂｅｔｈａ， Ａ． Ｈｅｔｔｉｃｈ， Ｊ． Ｐｅｅｔｚ， Ｙ． Ｄｕ： Ｃｅｎｔｒａｌ Ｃｏｎｔｒｏｌｌｅｒ Ｈａｎｄｏｖｅｒ Ｐｒｏｃｅｄｕｒｅ ｆｏｒ ＥＴＳＩ−ＢＲＡＩＮ ＨＩＰＥＲＬＡＮ／２ Ａｄ Ｈｏｃ Ｎｅｔｗｏｒｋｓ ａｎｄ ｃｌｕｓｔｅｒｉｎｇ ｗｉｔｈ Ｑｕａｌｉｔｙ ｏｆ Ｓｅｒｖｉｃｅ Ｇｕａｒａｎｔｅｅｓ， １ｓｔ　ＩＥＥＥ Ａｎｎｕａｌ Ｗｏｒｋｓｈｏｐ ｏｎ ｍｏｂｉｌｅ Ａｄ Ｈｏｃ Ｎｅｔｗｏｒｋｉｎｇ ＆ Ｃｏｍｐｕｔｉｎｇ， Ａｕｇｕｓｔ １１， ２０００”は、複数の端末を備えるアドホックネットワークを説明している。
【０００３】
少なくとも１つの端末がコントローラとして設けられ、アドホックネットワークを制御する。所定の条件下で、コントローラは、別の端末にとってのコントローラとなる必要がある場合がある。かかるネットワークが所定のサイズに到達する場合、かかるネットワークは、サブネットワークに更に分割する必要がある。ブリッジ端末として配置される端末は、サブネットワークとの通信のために使用される。
【０００４】
［発明の概要］
本発明の目的は、簡単なやり方でブリッジ端末を決定することを可能にするネットワークを提供することにある。
上記目的は、以下の手段により、開始節で定義されたタイプのネットワークにより達成される。
【０００５】
ネットワークは、ブリッジ端末を介してそれぞれ接続することができ、１つのサブネットワークを制御するためのコントローラをそれぞれ備えるサブネットワークを備えている。コントローラは、可能性のあるブリッジ端末を介して、２つのサブネットワーク間のコネクションを設定するために設けられる。コネクション設定の順序は、２つのサブネットワーク間の可能性のあるブリッジ端末の最少の数によりはじめに決定され、次いでコネクション品質により決定される。
【０００６】
ネットワークに送信されるデータは、たとえば、パケット伝送方法に従い生成される場合がある。パケットは、更なる情報が付加された後に、完全なパケットとして、又はサブパケットとして無線メディアを通して送信される場合がある。無線伝送は、無線、赤外線又はウルトラシェル伝送等を意味すると理解される。パケット伝送方法として、たとえば、セルと呼ばれる固定長のパケットを生成する非同期転送モード（ＡＴＭ）が使用される場合がある。
本発明のこれらの態様及び他の態様は、以下に記載される実施の形態を参照して明らかにされるであろう。
【０００７】
［発明の実施の形態］
以下に示される実施の形態の例は、従来のネットワークとは対照的な自己組織化によるアドホックネットワークに関する。かかるアドホックネットワークにおける端末のそれぞれは、固定ネットワークに可能なアクセスを行う場合があり、即座に使用することができる。
【０００８】
アドホックネットワークは、構造及び加入者数が所定の制限値内に固定されていることを特徴としている。たとえば、加入者の通信装置は、ネットワークから取り外されるか、又はネットワークに含まれる場合がある。従来の移動無線ネットワークとは対照的に、アドホックネットワークは、固定的にインストールされたインフラストラクチャに限定されない。
【０００９】
アドホックネットワークのエリアのサイズは、通常、１つの端末の伝送レンジよりも非常に大きい。２つの端末間の通信は、これらメッセージ又はデータが２つの通信端末間で送信することができるように、更なる端末がスイッチオンにされる必要がある場合がある。かかるアドホックは、端末を通してのメッセージ及びデータの伝送が必要であり、マルチホップ アドホックネットワークとして言及される。
【００１０】
アドホックネットワークの可能性のある組織化は、サブネットワーク又はクラスタの規則的な形成からなる。アドホックネットワークのサブネットワークは、たとえば、テーブルでの加入者の無線経路を介して接続される端末により形成することができる。かかる端末は、たとえば、メッセージ、画像等の無線交換のための通信装置である場合がある。
【００１１】
２つのタイプのアドホックネットワークが存在する。これらネットワークは分散型アドホックネットワーク、及び中央集中型アドホックネットワークである。分散型アドホックネットワークでは、端末間の通信が分散され、すなわち、ある端末が他の端末の伝送範囲内に位置される場合、それぞれの端末が他の端末と直接通信することができる。分散型アドホックネットワークの利点は、その簡単性及びエラーへの耐性である。
【００１２】
中央集中型アドホックネットワークでは、たとえば、無線伝送媒体（メディアアクセス制御：ＭＡＣ）への端末のマルチプルアクセスの機能のような所定の機能は、サブネットワーク当り１つの特定の端末により制御される。この端末は、中央端末又は中央コントローラとして言及される。これらの機能は、同じ端末により常に実行される必要はないが、中央コントローラとしての役割を果たす端末により別の端末にハンドオーバされ、次いで中央のコントローラとしての役割を果たすことができる。中央集中型アドホックネットワークは、このネットワークにおいて、サービス品質に関する契約は簡単なやり方で可能である。
【００１３】
中央集中型アドホックネットワークの例は、ＨｉｐｅｒＬＡＮ／２ Ｈｏｍｅ Ｅｎｖｉｒｏｎｍｅｎｔ Ｅｘｔｅｎｓｉｏｎ（ＨＥＥ）（Ｊ． Ｈａｂｅｔｈａ， Ａ． Ｈｅｔｔｉｃｈ， Ｊ． Ｐｅｅｔｚ， Ｙ． Ｄｕによる“Ｃｅｎｔｒａｌ Ｃｏｎｔｒｏｌｌｅｒ Ｈａｎｄｏｖｅｒ Ｐｒｏｃｅｄｕｒｅ ｆｏｒ ＥＴＳＩ−ＢＲＡＩＮ ＨＩＰＥＲＬＡＮ／２ Ａｄ Ｈｏｃ Ｎｅｔｗｏｒｋｓ ａｎｄ ｃｌｕｓｔｅｒｉｎｇ ｗｉｔｈ Ｑｕａｌｉｔｙ ｏｆ Ｓｅｒｖｉｃｅ Ｇｕａｒａｎｔｅｅｓ， １ｓｔ　ＩＥＥＥ Ａｎｎｕａｌ Ｗｏｒｋｓｈｏｐ ｏｎ ｍｏｂｉｌｅ Ａｄ Ｈｏｃ Ｎｅｔｗｏｒｋｉｎｇ ＆ Ｃｏｍｐｕｔｉｎｇ， Ａｕｇｕｓｔ １１， ２０００”と比較されたい。）に従い組織化されるネットワークである。
【００１４】
図１は、３つのサブネットワーク１〜３を有するアドホックネットワークに関する実施の形態の例を示している。このサブネットワークのそれぞれは、複数の端末４〜１６をそれぞれ含んでいる。サブネットワーク１の構成要素は、端末４〜９であり、サブネットワーク２の構成要素は、端末４及び１０〜１２であり、サブネットワーク３の構成要素は、端末５及び１３〜１６である。サブネットワークでは、それぞれのサブネットワークに属する端末は、無線経路を通してデータを交換する。図１に示される楕円は、サブネットワーク１〜３の無線レンジであり、この範囲では、大部分に問題のない無線伝送がサブネットワークに属する端末間で可能である。
【００１５】
端末４及び５は、２つのサブネットワーク１及び２、又は１及び３の間でのデータ交換を可能にすることから、ブリッジ端末と呼ばれる。ブリッジ端末４は、サブネットワーク１及び２の間のデータトラフィックについて使用され、ブリッジ端末５は、サブネットワーク１及び３の間のデータトラフィックについて使用される。
【００１６】
図１に示されるローカルエリアネットワークの端末４〜１６は、移動通信装置又は固定通信装置である場合があり、図２に示されるように、たとえば、基地局、コネクションコントローラ１８及びアンテナ２０を有する無線装置１９を少なくとも備えている。基地局１７は、たとえば、携帯用コンピュータ、電話等である場合がある。
【００１７】
端末６〜１６の無線装置１９は、図３に示されるように、アンテナに加えて、高周波回路２１、モデム２２及びプロトコル装置２３を備えている。プロトコル装置２３は、コネクションコントローラ１８から受信されたデータストリームから、パケットユニットを形成する。パケットユニットは、データストリームの一部、及びプロトコル装置２３により形成された追加の制御情報を含んでいる。
【００１８】
プロトコル装置は、ＬＬＣレイヤ（ＬＬＣ：論理リンク制御）及びＭＡＣレイヤ（ＭＡＣ：メディアアクセス制御）のためのプロトコルを使用している。ＭＡＣレイヤは、端末の無線伝送媒体へのマルチプルアクセスを制御し、ＬＬＣレイヤは、フロー制御及び誤り制御を実行する。
【００１９】
先に考察したように、中央集中型アドホックネットワークのサブネットワーク１〜３では、特定の端末が制御及び管理機能についての働きをし、中央コントローラとして言及される。さらに、コントローラは、関連されるサブネットワークにおいて通常の端末として機能する。
【００２０】
コントローラは、たとえば、サブネットワークで動作する端末の登録、無線伝送媒体における少なくとも２つの端末の間のコネクション設定、リソース管理及び無線伝送媒体におけるアクセス制御についての働きをする。たとえば、伝送要求の登録及び公表の後、サブネットワークの端末は、コントローラによりデータ（パケットユニット）についての伝送容量が割当てられる。
【００２１】
アドホックネットワークでは、データは、ＴＤＭＡ，ＦＤＭＡ又はＣＤＭＡ方法（ＴＤＭＡ： Ｔｉｍｅ Ｄｉｖｉｓｉｏｎ Ｍｕｌｔｉｐｌｅ Ａｃｃｅｓｓ， ＦＤＭＡ： Ｆｒｅｑｕｅｎｃｙ Ｄｉｖｉｓｉｏｎ Ｍｕｌｔｉｐｌｅ Ａｃｃｅｓｓ， ＣＤＭＡ： Ｃｏｄｅ Ｄｉｖｉｓｉｏｎ Ｍｕｌｔｉｐｌｅ Ａｃｃｅｓｓ）に従う端末間で交換することができる。これらの方法は、結合される場合がある。ローカルアリアネットワークのサブネットワーク１〜３のそれぞれに対して、チャネルグループとして言及される特定されたチャネルの番号が割当てられている。チャネルは、周波数レンジ、時間レンジにより決定され、特にＣＤＭＡ方法では、拡散コードにより決定される。
【００２２】
たとえば、それぞれのサブネットワーク１〜３は、データ交換に利用することができる所定のそれぞれ異なる周波数レンジを有することができる。この周波数レンジは、搬送波周波数ｆｉを有している。かかる周波数レンジでは、たとえば、ＴＤＭＡ方法により、データが送信される場合がある。次いで、サブネットワーク１には、搬送波周波数ｆ１が割当てられ、サブネットワーク２には、搬送波周波数ｆ２が割当てられ、サブネットワーク３には、搬送波周波数ｆ３が割当てられる。
【００２３】
ブリッジ端末４は、一方で、サブネットワーク１の他の端末とのデータ交換を実行するために搬送波周波数ｆ１で機能し、他方で、サブネットワーク２の他の端末とのデータ交換を実行するために搬送波周波数ｆ２で機能する。第２のブリッジ端末５は、ローカルエリアネットワークに含まれており、サブネットワーク１及び３の間でデータを伝送し、搬送波周波数ｆ１及びｆ３で機能する。
【００２４】
先に観察されたように、中央のコントローラは、たとえば、アクセスコントローラの機能を有する。これは、中央のコントローラがＭＡＣレイヤ（ＭＡＣフレーム）のフレーム形成のための働きをすることを意味する。この目的のために、ＴＤＭＡ方法が使用される。かかるＭＡＣフレームは、制御情報及び有効データのための各種チャネルを有している。
【００２５】
図４には、ブリッジ端末に関する実施の形態の例に関するブロック図が示されている。このブリッジ端末の無線スイッチング装置は、プロトコル装置２４、モデム２５及びアンテナ２７を有する高周波回路２６を備えている。プロトコル装置２４に対しては、無線スイッチング装置２８が接続されており、該装置２８は、コネクションコントローラ２９及びバッファ構成３０に更に接続されている。
【００２６】
この実施の形態では、バッファ構成３０は、１つのストレージ要素を含んでおり、データをバッファリングするために使用され、ＦＩＦＯモジュール（Ｆｉｒｓｔ Ｉｎ Ｆｉｒｓｔ Ｏｕｔ）として実現される。すなわち、データは、書込まれた順序でバッファ構成３０から読み出される。図４において示されている端末は、通常の端末として機能する場合がある。図４に示されていないが、コネクションコントローラ２９に接続される基地局は、コネクションコントローラ２９を介して、無線スイッチング装置２８にデータを供給する。
【００２７】
図４に示されるブリッジ端末は、第１のサブネットワーク及び第２のサブネットワークと交互に同期される。同期は、データの交換のために端末をサブネットワークと統合する全体のプロセスを意味するために理解される。ブリッジ端末が第１のサブネットワークと同期される場合、ブリッジ端末は、全ての端末、及びこのサブネットワークのコントローラとデータを交換する。
【００２８】
コネクションコントローラ２９は、無線スイッチ装置２８にデータを供給する場合、該データの目的地は、第１のサブネットワークの端末又はコントローラであるか、或いは、第１のサブネットワークを介して到達することができる別のサブネットワークの端末又はコントローラである。無線スイッチ装置は、これらのデータを直接的にプロトコル装置２４に伝達する。
【００２９】
プロトコル装置２４では、コントローラが伝送のために使用することが意図される時間スロットに到達するまで、データがバッファリングされる。コネクションコントローラ２９から到来するデータが第２のサブネットワークの端末又はコントローラに送信される場合、或いは第２のサブネットワークを介して到達される別のサブネットワークに送信される場合、ブリッジ端末が第２のサブネットワークと同期される時間スロットまで、無線伝送は遅延される。
【００３０】
このために、無線スイッチ装置は、その目的地が第２のサブネットワークにあるデータ、又はその目的地が第２のサブネットワークを介してバッファ装置３０に到達することができるデータを伝送する。バッファ装置３０は、ブリッジ端末が第２のサブネットワークと同期されるまでデータをバッファリングする。
【００３１】
第１のサブネットワークの端末又はコントローラからのデータがブリッジ端末により受信され、その目的地が第２のサブネットワークの端末又はコントローラであるか、或いは第２のサブネットワークを介して到達される別のサブネットワークの端末又はコントローラである場合、第２のサブネットワークとの同期まで、これらのデータはバッファ装置３０に記憶される。
【００３２】
その目的地がブリッジ端末の基地局であるデータは、無線スイッチ装置２８を介してコネクションコントローラ２９に直接的に伝達され、該コントローラは、受信されたデータを所望の基地局に導く。その目的地がブリッジ端末の基地局ではないデータ、第２のサブネットワークの端末又はコントローラでもないデータは、たとえば、更なるブリッジ端末に送出される。
【００３３】
第１のサブネットワークから第２のサブネットワークへのブリッジ端末の同期の変化の後、バッファ装置３０に位置されるデータは、データが書込まれた順序でバッファ装置３０から再び読み出される。続いて、ブリッジ端末が第２のサブネットワークと同期される時間の間、その目的地が第２のサブネットワークの端末又はコントローラ、或いは第２のサブネットワークを介して到達される別のサブネットワークである場合、無線スイッチ装置２８によりプロトコル装置２４に即座に伝達され、その目的地が第１のサブネットワークの端末又はコントローラであるデータ、或いは第１のサブネットワークを介して到達される別のサブネットワークであるデータのみがバッファ装置３０に記憶される。
【００３４】
２つのサブネットワークＳＮ１及びＳＮ２のＭＡＣフレームは、通常同期されない。したがって、ブリッジ端末ＢＴは、チェンジオーバ時間Ｔｓの間に、サブネットワークＳＮ１又はＳＮ２に接続されないばかりではなく、待ち時間Ｔｗの間にも接続されない。このことは、図５から理解することができ、サブネットワークＳＮ１及びＳＮ２のＭＡＣフレームのシーケンス、及びブリッジ端末ＢＴのＭＡＣフレーム構造を示している。
【００３５】
チェンジオーバ時間Ｔｓは、サブネットワークとの同期を可能にするために、ブリッジ端末にとって必要な時間である。待ち時間Ｔｗは、サブネットワークとの同期の終了と、該サブネットワークの新たなＭＡＣフレームの開始との間の時間を示している。
【００３６】
ＭＡＣフレームの期間についてのみ、ブリッジ端末ＢＴがサブネットワークＳＮ１又はＳＮ２に接続されているとすると、ブリッジ端末ＢＴは、サブネットワークの利用可能なチャネル容量の１／４のチャネル容量のみを有する。他の極端なケースでは、ブリッジ端末ＢＴがサブネットワークに長時間接続されている場合、チャネル容量は、サブネットワークの利用可能なチャネル容量の半分である。
【００３７】
先に記載されたように、それぞれのサブネットワークは、割当てられたサブネットワークを制御するための中央コントローラを含んでいる。サブネットワークが動作しているとき、１つの端末のみが中央コントローラの機能を引き継ぐことが保証されるべきである。その他の端末は中央コントローラの機能を引き継ぐことは保証されない。
【００３８】
中央のコントローラが決定されたとき、手順は、たとえば、コントローラの機能を引き継ぐことができる端末のそれぞれは、その受信レンジにおいて、コントローラの機能を実行することができる別の端末が存在するかをチェックすることである。別の端末が存在する場合、検出する端末は該端末がコントローラにはならないことを確定する。全ての他の端末がこのチェックを行う場合、終了において、コントローラの機能を有する他の端末がないことを検出する１つの端末が存在し、該１つの端末は、コントローラの機能を引き継ぐ。
【００３９】
それぞれのサブネットワークが形成された後、それぞれのサブネットワーク間の通信を可能にするブリッジ端末が決定される。この結果、割当てられたコントローラから所定の距離内に配置された全ての端末は、規則的な距離で全体的に許可されたレンジを走査し、別のコントローラの無線レンジ内に位置されているかを知る。
【００４０】
別のコントローラの無線レンジ内に位置されている場合、端末はこれを発見されたコントローラに知らせる。次いで、コントローラは、端末をブリッジ端末として使用することができる。たとえば、２つのサブネットワークが複数のブリッジ端末により接続することができる場合、最良の配置を提供するブリッジ端末は、以下に記載される手順により発見される。
【００４１】
この手順に関する例は、図６に示されている。図６は、５つのサブネットワーク３１〜３５、及び５つの割当てられたコントローラ３６〜４０（Ｃ１〜Ｃ５）を有するアドホックネットワークを示している。
【００４２】
コントローラ３６（Ｃ１）及び３７（Ｃ２）は、ブリッジ端末４１及び４２（Ｔ１及びＴ２）を介して接続される場合があり、コントローラ３６（Ｃ１）及び３８（Ｃ３）は、ブリッジ端末４２及び４３（Ｔ２及びＴ３）を介して接続される場合があり、コントローラ３６（Ｃ１）及び３９（Ｃ４）は、ブリッジ端末４４（Ｔ４）を介して接続される場合があり、コントローラ３６（Ｃ１）及び４０（Ｃ５）は、ブリッジ端末４５（Ｔ５）を介して接続される場合があり、コントローラ３７（Ｃ２）及び４３（Ｔ３）は、ブリッジ端末４２（Ｔ２）を介して接続されている場合がある。
【００４３】
図６は、２つのブリッジ端末４２（Ｔ２）及び４３（Ｔ３）を示しており、これらは共に、サブネットワーク３１及び３３を接続するためのブリッジ端末として使用するための可能性のある候補である。サブネットワーク３２及び３８のコネクションについて、ブリッジ端末４２（Ｔ２）のみを使用することができる。
【００４４】
２つのサブネットワークの有効なコネクションを提供するために、少なくとも１つのブリッジ端末が２つのサブネットワークを接続するために使用されることになる。ブリッジ端末４２（Ｔ２）がサブネットワーク３１及び３３のコネクションのために使用される場合、サブネットワーク３２及び３３のコネクションについてブリッジ端末が残されていない。かかる状況は回避されなければならない。
【００４５】
以下では、様々なサブネットワークの間のコネクションのためにブリッジ端末の最適な選択を可能にするプロセスが与えられる。はじめに、２つのサブネットワーク間の全てのブリッジ端末は、最小の数のブリッジ端末がかかるコネクションについての候補である一方で、コネクションを設定する。
【００４６】
プロセスは、それぞれのコントローラにより実行される。次いで、既知のデータは、それぞれのコントローラによりローカルに記憶される。プロセスを実行するコントローラは、処理コントローラと呼ばれる。利用可能なネットワークでブリッジ端末として使用することができる全ての端末は、３次元マトリクスＦ（１．．．ｎ；１．．．ｎ；１．．．ｔ）により記述される。ここで、ｎは処理コントローラに既知のコントローラの数であり、ｔは可能性のあるブリッジ端末の数である。
【００４７】
識別子ｉ及びｊ（ｉ＜ｊ）により２つのサブネットワーク間のコネクションを設定することができるｍ台のブリッジ端末が利用可能である場合、これらの識別子はマトリクス部分Ｆ（ｉ，ｊ，１．．．ｍ）で記憶される。かかる識別は、それぞれの端末を唯一に識別する。次いで、マトリクスは再びソートされる。ソートの基準は、それぞれのブリッジ端末のコネクション品質である。最良のコネクション品質を有するブリッジ端末は、マトリクス位置Ｆ（ｉ，ｊ，１）でソートされる。
【００４８】
１）かかる記号的に図示されたマトリクスの構造は、図７に示されている。マトリクスが空になるまで、以下の手順が繰り返される。
ａ）それぞれのステップにより、処理コントローラは、可能なブリッジ端末数を示す最小の数ｍを有する２つのサブネットワークｉ及びｊ（ｉ＞ｊ）間のコネクションのために、マトリクス位置についてサーチする。
ｂ）識別子ｔｋを有する端末は、マトリクス位置Ｆ（ｉ，ｊ，１）で記録されており、サブネットワークｉ及びｊについてのブリッジ端末であるとして選択される。
ｃ）このマトリクス位置Ｆ（ｉ，ｊ，１）についての全てのエントリが消去される。
ｄ）識別子ｔｋはマトリクス全体についてサーチされ、消去される。
この処理により、最良の特性を有するブリッジ端末が決定され、最適な構造がブリッジ端末に関連して発見される。
【図面の簡単な説明】
【図１】
無線伝送のために設けられる端末をそれぞれ含む３つのサブネットワークを備えるアドホックネットワークを示す図である。
【図２】
図１に示されるローカルエリアネットワークの端末を示す図である。
【図３】
図２に示される端末の無線装置を示す図である。
【図４】
２つのサブネットワーク間のコネクションとして設けられるブリッジ端末に関する実施の形態を示す図である。
【図５】
２つのサブネットワークのＭＡＣフレーム、及びブリッジ端末のＭＡＣフレーム構造を示す図である。
【図６】
５つのサブネットワークを備えるアドホックネットワークの例を示す図である。
【図７】
ブリッジ端末を見つけるためのコントローラに記憶される記号的に表現されるマトリクスを示す図である。
【国際公開パンフレット】
2004513563.tif 000003
2004513563.tif 000004
2004513563.tif 000005
2004513563.tif 000006
2004513563.tif 000007
2004513563.tif 000008
2004513563.tif 000009
2004513563.tif 000010
2004513563.tif 000011
2004513563.tif 000012
2004513563.tif 000013
2004513563.tif 000014
2004513563.tif 000015
【国際公開パンフレット（コレクトバージョン）】
2004513563.tif 000016
【国際調査報告】
2004513563.tif 000017
2004513563.tif 000018